(57)【要約】【課題】  工場ラインで完成品の製品である電気部品を実装した基板を、筐体から取り外さずに部品面から半田付け済みの電気部品を除去でき、時間と手間を軽減でき、製品や基板を汚したり、傷つけることがない電気部品取り外し装置を提供する。【解決手段】  電気部品２を取り付けた基板１が筐体内に組み込まれており、基板の上方位置に、ヒータ等が組み込まれた半田温度調節装置６に連通された筒状のグリップ８が配置され、グリップの下端に固体状半田を供給するための弁体９が設けられ、その下側にグリップに連通し、基板上に実装された電気部品の左右位置に溶融半田移送管１０が設けられ、溶融半田移送管の下端は電気部品における半田付けされた端子３部分に位置されるノズル１１に形成されると共に溶融半田移送管の下部にノズル部分を電気部品の端子部分を挟む位置に移動させるためのノブ１２を有する押し付け手段１３が取り付けられている。【選択図】  図１
2008135466.tif 000002
【特許請求の範囲】
【請求項１】
基板に半田付けで実装された電気部品の端子の半田を溶かして、前記基板から前記電気部品を取り外すようにした電気部品取り外し装置において、前記電気部品を取り付けた基板が筐体内に組み込まれており、前記基板の上方位置に、ヒータ等が組み込まれた半田温度調節装置に連通された筒状のグリップが配置され、このグリップの下端に固体状半田を供給するための弁体が設けられ、その下側に前記グリップに連通し、前記基板上に実装された前記電気部品の左右位置に溶融半田移送管が設けられ、この溶融半田移送管の下端は前記電気部品における半田付けされた端子部分に位置されるノズルに形成されると共に前記溶融半田移送管の下部に前記ノズル部分を前記電気部品の端子部分を挟む位置に移動させるためのノブを有する押し付け手段が取り付けられていて、前記押し付け手段は、前記溶融半田移送管に設けられた貫通孔を有するネジ保持部と、前記ネジ保持部の貫通孔に挿入された雄ネジと、この雄ネジの先端に設けられ前記電気部品に当接する部品支え部と、前記雄ネジの後端側に螺入された前記ノブとを有し、前記ノブを回転させて前記雄ネジに対して前進させることにより、前記溶融半田移送管の下部を前記電気部品の端子側に移動させて前記ノズルを前記電気部品の端子に当接させ、前記半田温度調節装置からの熱風が前記筒状のグリップに入ることにより、このグリップの下端に供給された前記固体状半田が前記熱風で溶融されて前記溶融半田移送管内に移送され、前記ノズルより前記電気部品の端子が挿入された前記基板の孔部の下端に向けて前記溶融半田が流れて前記基板の裏面の半田を溶かし、前記グリップを上方に向けて引っ張り上げることにより、前記電気部品を前記基板から取り外すように構成したことを特徴とする電気部品取り外し装置。
【請求項２】
基板に半田付けで実装された電気部品の端子の半田を溶かして、前記基板から前記電気部品を取り外すようにした電気部品取り外し装置において、前記電気部品を取り付けた基板が筐体内に組み込まれており、前記基板の上方位置に、熱風供給手段に連通された筒状のグリップが配置され、このグリップの下端には固体状半田が供給されるように構成され、前記グリップの下側に連通し、前記基板上に実装された前記電気部品の側部に溶融半田移送管が設けられ、この溶融半田移送管の下端は前記電気部品における半田付けされた端子部分に位置されるノズルに形成されると共に前記溶融半田移送管の下部に前記ノズル部分を電気端子部分に押し付けるための押し付け手段が取り付けられており、前記押し付け手段により前記溶融半田移送管の下部を前記電気部品の端子側に移動させて前記ノズルを前記電気部品の端子に当接させ、前記熱風供給手段からの熱風が前記筒状のグリップに入ることにより、このグリップの下端に供給された前記固体状半田が前記熱風で溶融されて前記溶融半田移送管内に移送され、前記ノズルより前記電気部品の端子が挿入された前記基板の孔部の下端に向けて前記溶融半田が流れて前記基板の裏面の半田を溶かし、前記グリップを上方に向けて引っ張り上げることにより、前記電気部品を前記基板から取り外すように構成したことを特徴とする電気部品取り外し装置。
【請求項３】
前記基板には、前記電気部品の端子が挿入された孔部の近傍に貫通孔が形成されて、前記基板の裏面に前記孔部から前記貫通孔までランドパターンが形成され、前記溶融半田移送管における前記貫通孔と対応する箇所に前記溶融半田移送管内の溶融半田を前記貫通孔に導入するための導入孔が形成されており、前記溶融半田移送管内の溶融半田が前記導入孔から前記基板の貫通孔に流れて前記基板のランドパターンを経て前記基板の裏面側の前記電気部品の端子の半田付け部分に流れて、前記電気部品の端子の半田を前記溶融半田で溶かすようにした請求項２に記載の電気部品取り外し装置。
【発明の詳細な説明】
【技術分野】
【０００１】
本発明は、基板に半田付けで実装された電気部品の端子の半田を溶かして、前記基板から前記電気部品を取り外すようにした電気部品取り外し装置に関するものである。
【背景技術】
【０００２】
従来、筐体内に配置された基板に実装された電気部品を自挿ミスした場合等の際に取り外すには、完成品の製品を分解し、筐体から基板を取り外す必要があり、面実装側からでないと電気部品を除去できないという問題があった。このために、分解、手直し等に時間を費やしたり、完成品の概観や内部の基板等を傷つける場合があるという問題があった。
【０００３】
第１の従来技術を図３（ａ）（ｂ）、図４に示す。この従来のはんだ除去装置は、図３（ａ）（ｂ）、図４に示すように、導体板１４０の下面に設けたはんだノズル１０９と導体板１４０の孔から残存するはんだを取り除く装置とを有する、導体板１４０から電子部品１３１のはんだ付を除去する装置であって、導体板１４０の下面に負圧空間１４３を形成する第１手段と、はんだ付を除去すべき部品の寸法に合わせて、着脱自在に負圧空間１４３に流入口１１７を形成する第２手段と、第２手段の下からはんだノズル１０９によって噴射されるはんだ波のための限界を形成し、はんだノズル１０９から離隔して配置された第２手段に設けた開口手段とを備えている。（例えば、特許文献１参照）。
【０００４】
ところが、これにおいては、導体板１４０の電子部品１３１を取り外すには、導体板１４０の下側から電子部品１３１の端子の半田を取り除くものであるために、筐体内に配置された導体板１４０を筐体の外側に取り外して電子部品１３１を取り外さなければならないという問題があった。
【０００５】
第２の従来技術を図５、図６に示す。この従来のリペアマシンは、図５、図６に示すように、溶融はんだが収容されたはんだ槽２０４内に上向きのノズル２０１が移動可能に置かれている。はんだ槽２０４の上面にモータ２０２が設けられ、はんだ槽２０４内に設けられモータ２０２により駆動されるポンプとノズル２０１とが伸縮自在なパイプ２０３で接続されている。はんだ槽２０４内の溶融はんだは、ポンプにより取り込まれ、パイプ２０３を通してノズル２０１から上向きに噴出され、再びはんだ槽２０４内に流下するというように循環する。ノズル２０１からの溶融はんだをプリント基板に吹き付けて、プリント基板のその部分の部品を取り外し可能にする。（例えば、特許文献２参照）。
【０００６】
ところが、これにおいては、ノズル２０１から溶融はんだが噴出されるために、筐体内に配置された基板に実装された電気部品の端子の半田を溶融して電子部品を取り除くためには、筐体から基板を取り外した状態で電気部品の端子の半田を溶融して電気部品を取り除かなくてはならないという問題があった。
【０００７】
第３の従来技術を図７に示す。この従来のプリント配線板に実装されたボールグリッドアレイの取り外し装置は、図７に示すように、プリント配線板に実装されたボールグリッドアレイ３１２の取り外し方法であって、半田噴流ノズル３０８内にボールグリッドアレイ３１２が位置するようにプリント配線板３１０を配置し、半田噴流ノズル３０８内の溶融半田３２４をボールグリッドアレイ３１２の本体に接触させ、本体の熱伝導によりボールグリッドアレイ３１２の半田ボール３２６を溶融し、噴流停止による溶融半田３２４の引き込み力及びボールグリッドアレイ３１２の自重により、ボールグリッドアレイ３１２を溶融半田３２４側に取り外す、ことを特徴とするプリント配線板３１０に実装されたボールグリッドアレイ３１２を溶融半田３２４側に取り外すように構成する。（例えば、特許文献３参照）。
【０００８】
ところが、これにおいては、プリント配線板３１０の下側から溶融半田３２４をボールグリッドアレイ３１２の半田ボール３２６を溶融するために、完成品の筐体からプリント配線板３１０を取り外さなければならないという問題があった。
【０００９】
第４の従来技術を図８（ａ）（ｂ）、図９に示す。この従来のプリント配線板は、図８（ａ）（ｂ）、図９に示すように、エリアアレイＰＫＧ実装用パッド形成層４０１の下層に、少なくともこのエリアアレイＰＫＧ実装用パッド形成領域を包含する大きさのパターン４０２を形成し、このパターン４０２と連結されたサーマルビアホール４０３をエリアアレイＰＫＧ４１０の近傍に穿設形成したものである。（例えば、特許文献４参照）。
【００１０】
ところが、これにおいては、加熱用のパターン４０２を設けなくてはならないためにコスト高になるという問題があった。
【特許文献１】特開昭５７−９１８７４号公報
【特許文献２】特開２０００−３４９４３２号公報
【特許文献３】特開２００３−１５２３２９号公報
【特許文献４】特開平１１−２８９１３６号公報
【発明の開示】
【発明が解決しようとする課題】
【００１１】
本発明は、上記従来の問題に鑑みてなされたものであって、工場ラインで完成品の製品である電気部品を実装した基板を、筐体から取り外さずに部品面から半田付け済みの電気部品を除去することができ、時間と手間を軽減することができ、しかも、自挿ミスで挿入した電気部品で不要な電気部品を簡単に除去でき、製品や基板を汚したり、傷つけることがない電気部品取り外し装置を提供することを目的としている。
【課題を解決するための手段】
【００１２】
本発明は、上記課題を解決するために提案されたものであって、請求項１に記載の発明は、基板に半田付けで実装された電気部品の端子の半田を溶かして、前記基板から前記電気部品を取り外すようにした電気部品取り外し装置において、前記電気部品を取り付けた基板が筐体内に組み込まれており、前記基板の上方位置に、ヒータ等が組み込まれた半田温度調節装置に連通された筒状のグリップが配置され、このグリップの下端に固体状半田を供給するための弁体が設けられ、その下側に前記グリップに連通し、前記基板上に実装された前記電気部品の左右位置に溶融半田移送管が設けられ、この溶融半田移送管の下端は前記電気部品における半田付けされた端子部分に位置されるノズルに形成されると共に前記溶融半田移送管の下部に前記ノズル部分を前記電気部品の端子部分を挟む位置に移動させるためのノブを有する押し付け手段が取り付けられていて、前記押し付け手段は、前記溶融半田移送管に設けられた貫通孔を有するネジ保持部と、前記ネジ保持部の貫通孔に挿入された雄ネジと、この雄ネジの先端に設けられ前記電気部品に当接する部品支え部と、前記雄ネジの後端側に螺入された前記ノブとを有し、前記ノブを回転させて前記雄ネジに対して前進させることにより、前記溶融半田移送管の下部を前記電気部品の端子側に移動させて前記ノズルを前記電気部品の端子に当接させ、前記半田温度調節装置からの熱風が前記筒状のグリップに入ることにより、このグリップの下端に供給された前記固体状半田が前記熱風で溶融されて前記溶融半田移送管内に移送され、前記ノズルより前記電気部品の端子が挿入された前記基板の孔部の下端に向けて前記溶融半田が流れて前記基板の裏面の半田を溶かし、前記グリップを上方に向けて引っ張り上げることにより、前記電気部品を前記基板から取り外すように構成したことを特徴としている。
【００１３】
請求項２に記載の発明は、基板に半田付けで実装された電気部品の端子の半田を溶かして、前記基板から前記電気部品を取り外すようにした電気部品取り外し装置において、前記電気部品を取り付けた基板が筐体内に組み込まれており、前記基板の上方位置に、熱風供給手段に連通された筒状のグリップが配置され、このグリップの下端には固体状半田が供給されるように構成され、前記グリップの下側に連通し、前記基板上に実装された前記電気部品の側部に溶融半田移送管が設けられ、この溶融半田移送管の下端は前記電気部品における半田付けされた端子部分に位置されるノズルに形成されると共に前記溶融半田移送管の下部に前記ノズル部分を電気端子部分に押し付けるための押し付け手段が取り付けられており、前記押し付け手段により前記溶融半田移送管の下部を前記電気部品の端子側に移動させて前記ノズルを前記電気部品の端子に当接させ、前記熱風供給手段からの熱風が前記筒状のグリップに入ることにより、このグリップの下端に供給された前記固体状半田が前記熱風で溶融されて前記溶融半田移送管内に移送され、前記ノズルより前記電気部品の端子が挿入された前記基板の孔部の下端に向けて前記溶融半田が流れて前記基板の裏面の半田を溶かし、前記グリップを上方に向けて引っ張り上げることにより、前記電気部品を前記基板から取り外すように構成したことを特徴としている。
【００１４】
請求項３に記載の発明は、請求項２に記載の発明において、前記基板には、前記電気部品の端子が挿入された孔部の近傍に貫通孔が形成されて、前記基板の裏面に前記孔部から前記貫通孔までランドパターンが形成され、前記溶融半田移送管における前記貫通孔と対応する箇所に前記溶融半田移送管内の溶融半田を前記貫通孔に導入するための導入孔が形成されており、前記溶融半田移送管内の溶融半田が前記導入孔から前記基板の貫通孔に流れて前記基板のランドパターンを経て前記基板の裏面側の前記電気部品の端子の半田付け部分に流れて、前記電気部品の端子の半田を前記溶融半田で溶かすようにした。
【発明の効果】
【００１５】
請求項１に記載の発明によれば、半田温度調節装置から筒状のグリップ内に送られた熱風によって、グリップの下端に供給された固体状半田が溶融半田となり、この溶融半田が溶融半田移送管内を移送されて先端のノズルから電気部品の端子が挿入された基板の孔部の下端に向けて流れて基板の裏側で電気部品の端子の半田が溶融される。従って、基板の裏側における電気部品の端子の半田が溶融されることによって、グリップを上方に引っ張り上げたときに、電気部品を基板から上向きに取り外すことができる。このことにより、工場ラインで完成品の製品である電気部品を実装した基板を筐体から取り外さずに部品面から半田付け済みの電気部品を除去することができる。しかも、自挿ミスで挿入した電気部品で不要な電気部品を簡単に除去でき、製品や基板を汚したり、傷つけることない効果を奏する。また、溶融半田移送管の先端のノズルを基板に実装された電気部品の端子に当接するための押し付け手段が、溶融半田移送管に設けられた貫通孔を有するネジ保持部と、ネジ保持部の貫通孔に挿入された雄ネジと、この雄ネジの先端に設けられ電気部品に当接する部品支え部と、雄ネジの後端側に螺入されたノブとを有するものであるから、構造が簡単であり、ノブの回転前進によって溶融半田移送管の先端のノズルを基板に実装された電気部品の端子に正確に当接することができ、ノズルからの溶融半田を基板の孔部に流して電気部品の端子の半田を確実に溶融することができる。更に、部品支え部で電気部品を支えているので、電気部品の端子の半田が溶融されたときに、グリップを上方に引っ張り上げる際に電気部品を正確に上方へ移動させて確実に除去することができる。
【００１６】
請求項２に記載の発明によれば、熱風供給手段から筒状のグリップ内に送られた熱風によって、グリップの下端に供給された固体状半田が溶融半田となり、この溶融半田が溶融半田移送管内を移送されて先端のノズルから電気部品の端子が挿入された基板の孔部の下端に向けて流れて基板の裏側で電気部品の端子の半田が溶融される。従って、基板の裏側における電気部品の端子の半田が溶融されることによって、グリップを上方に引っ張り上げたときに、電気部品を基板から上向きに取り外すことができる。このことにより、工場ラインで完成品の製品である電気部品を実装した基板を筐体から取り外さずに部品面から半田付け済みの電気部品を除去することができる。しかも、自挿ミスで挿入した電気部品で不要な電気部品を簡単に除去でき、製品や基板を汚したり、傷つけることない効果を奏する。
【００１７】
請求項３に記載の発明によれば、溶融半田移送管内の溶融半田が溶融半田移送管の導入孔から基板の貫通孔に流れて基板のランドパターンを経て基板の裏面側の電気部品の端子の半田付け部分に流れて、電気部品の端子の半田を確実に溶融して基板から電気部品を除去することができる。また、基板側の孔部が小さい場合でも確実に電気部品を除去することができる。
【発明を実施するための最良の形態】
【００１８】
以下、本発明に係る電気部品取り外し装置の実施の形態について、図を参照しつつ説明する。
【００１９】
図１は本発明の第１実施形態の電気部品取り外し装置の概略正面断面図である。
【００２０】
この第１実施形態の電気部品取り外し装置は、図１に示すように、筐体（図示略）内に基板１が組み込まれており、この基板１にラジアル部品からなる電気部品２が実装され、この電気部品２の２本の端子３、３が基板１の孔部１ａ、１ａに挿入されて基板１の裏面側で半田４、４で取り付けられている。基板１の上方位置に、ヒータ等が組み込まれて温度調節ノブ５を有する半田温度調節装置６にパイプ７で連通された筒状のグリップ８が配置されている。このグリップ８の下端に固体状半田を供給するための弁体９が設けられ、その下側にグリップ８に連通し、基板１上に実装された電気部品２の左右位置に溶融半田移送管１０、１０が設けられている。この溶融半田移送管１０、１０の下端は、電気部品２における半田付けされた端子３、３部分に位置されるノズル１１、１１に形成されている。溶融半田移送管１０、１０の下部に、ノズル１１、１１を電気部品２の端子３、３部分を挟む位置に移動させるためのノブ１２を有する押し付け手段１３が取り付けられている。この押し付け手段１３は、溶融半田移送管１０、１０に設けられた貫通孔１４ａを有するネジ保持部１４の貫通孔１４ａに挿入された雄ネジ１５と、この雄ネジ１５の先端に設けられ電気部品２に当接する部品支え部１６と、雄ネジ１５の後端側に螺入されたノブ１２とを有している。
【００２１】
まず、一点鎖線で示すように、弁体９を開けて固体状半田をグリップ８の下端に入れてから、この弁体９を閉める。次に、ノブ１２を回転させて雄ネジ１５に対して電気部品２側に向けて前進させることにより、溶融半田移送管１０、１０の下部を電気部品２の端子３、３側に移動させて、ノズル１１、１１を電気部品２の端子３、３に当接させて端子３、３を挟み込む。次に、半田温度調節装置６からの熱風をパイプ７を経て筒状のグリップ８内に送り込み、このグリップ８の下端に供給された固体状半田を熱風で溶融させる。この溶融半田は、溶融半田移送管１０、１０内に移送され、ノズル１１、１１より電気部品２の端子３、３が挿入された基板１の孔部１ａ、１ａの下端に向けて流れて基板１の裏面側の半田４、４を溶かす。次に、グリップ８を上方に向けて引っ張り上げることにより、電気部品２を基板１から取り外す。
【００２２】
この第１実施形態によれば、半田温度調節装置６から筒状のグリップ８内に送られた熱風によって、グリップ８の下端に供給された固体状半田が溶融半田となり、この溶融半田が溶融半田移送管１０内を移送されて先端のノズル１１、１１から電気部品２の端子３、３が挿入された基板１の孔部１ａ、１ａの下端に向けて流れて基板１の裏側で電気部品２の端子３、３の半田４、４が溶融される。従って、基板１の裏側における電気部品２の端子３、３の半田４、４が溶融されることによって、グリップ８を上方に引っ張り上げたときに、電気部品２を基板１から上向きに取り外すことができる。このことにより、工場ラインで完成品の製品である電気部品２を実装した基板１を筐体から取り外さずに部品面から半田付け済みの電気部品２を除去することができる。しかも、自挿ミスで挿入した電気部品２で不要な電気部品２を簡単に除去でき、製品や基板１を汚したり、傷つけることない効果を奏する。
【００２３】
また、溶融半田移送管１０、１０の先端のノズル１１、１１を基板１に実装された電気部品２の端子３、３に当接するための押し付け手段１３が、溶融半田移送管１０に設けられた貫通孔１４ａを有するネジ保持部１４と、ネジ保持部１４の貫通孔１４ａに挿入された雄ネジ１５と、この雄ネジ１５の先端に設けられ電気部品２に当接する部品支え部１６と、雄ネジ１５の後端側に螺入されたノブ１２とを有するものであるから、構造が簡単であり、ノブ１２の回転前進によって溶融半田移送管１０の先端のノズル１１を基板１に実装された電気部品２の端子３に正確に当接することができ、ノズル１１からの溶融半田を基板１の孔部１ａに流して電気部品２の端子３の半田４を確実に溶融することができる。更に、部品支え部１６で電気部品２を支えているので、電気部品２の端子３の半田４が溶融されたときに、グリップ８を上方に引っ張り上げる際に電気部品２を正確に上方へ移動させて確実に除去することができる。
【００２４】
図２は第２実施形態の電気部品取り外し装置の概略正面断面図である。尚、上記した第１実施形態と同一部材、同一箇所には同一符号を付して、その説明を省略する。
【００２５】
この第２実施形態の電気部品取り外し装置は、図２に示すように、基板１には、電気部品２の端子３、３が挿入された孔部１ａ、１ａの近傍に貫通孔１ｂ、１ｂが形成され、基板１の裏面に孔部１ａ、１ａから貫通孔１ｂ、１ｂまでランドパターン１ｃ、１ｃが形成されている。更に、溶融半田移送管１０、１０における貫通孔１ｂ、１ｂと対応する箇所に導入孔１０ａ、１０ａが形成されている。そして、溶融半田移送管１０、１０内の溶融半田が導入孔１０ａ、１０ａから基板１の貫通孔１ｂ、１ｂに流れて基板１のランドパターン１ｃ、１ｃを経て基板１の裏面側の電気部品２の端子３、３の半田付け部分に流れて、電気部品２の端子３、３の半田４、４を溶融半田で溶かすようにしている。
【００２６】
この第２実施形態によれば、溶融半田移送管１０、１０内の溶融半田が溶融半田移送管１０、１０の導入孔１０ａ、１０ａから基板１の貫通孔１ｂ、１ｂに流れて基板１のランドパターン１ｃ、１ｃを経て基板１の裏面側の電気部品２の端子３、３の半田付け部分に流れて、電気部品２の端子３、３の半田４、４を確実に溶融して基板１から電気部品２を除去することができる。また、基板１側の孔部１ａ、１ａが小さい場合でも確実に電気部品２を除去することができる。
【図面の簡単な説明】
【００２７】
【図１】本発明の第１実施形態の電気部品取り外し装置の概略正面断面図である。
【図２】第２実施形態の電気部品取り外し装置の概略正面断面図である。
【図３】従来のはんだ除去装置を示し、（ａ）はその部分断面図、（ｂ）は（ａ）の拡大部分断面図である。
【図４】図３（ａ）におけるＡ−Ｂに沿った断面図である。
【図５】従来のリペアマシンの平面図である。
【図６】従来のリペアマシンの他の例を示す平面図である。
【図７】従来のプリント配線板に実装されたボールグリットアレイの取り外し装置における半田噴流状態を示す断面図である。
【図８】従来のプリント配線板を示し、（ａ）はその配線状態を示す平面図、（ｂ）はその平面図である。
【図９】従来のプリント配線板におけるエリアアレイＰＫＧの取り外し方法の例を示す概略断面図である。
【符号の説明】
【００２８】
１      基板
１ａ    孔部
１ｂ    貫通孔
１ｃ    ランドパターン
２      電気部品
３      端子
４      半田
５      温度調節ノブ
６      半田温度調節装置
７      パイプ
８      グリップ
９      弁体
１０    溶融半田移送管
１０ａ  導入孔
１１    ノズル
１２    ノブ
１３    押し付け手段
１４    ネジ保持部
１４ａ  貫通孔
１５    雄ネジ
１６    部品支え部
【図１】
2008135466.tif 000003
【図２】
2008135466.tif 000004
【図３】
2008135466.tif 000005
【図４】
2008135466.tif 000006
【図５】
2008135466.tif 000007
【図６】
2008135466.tif 000008
【図７】
2008135466.tif 000009
【図８】
2008135466.tif 000010
【図９】
2008135466.tif 000011